(57)【特許請求の範囲】
【請求項１】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、前記画像形成装置の設定内容または／および機械情報の表示のみを行う操作画面である場合、前記データー削減処理の程度を予め設定されている削減標準より下げた実施内容に決定することを特徴とする画像形成遠隔操作システム。
【請求項２】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面に印刷画像情報が含まれている場合、前記データー削減処理の程度を予め設定されている削減標準より下げた実施内容に決定することを特徴とする画像形成遠隔操作システム。
【請求項３】
前記制御部は、前記データー削減処理として減色を行う場合、前記印刷画像情報で利用されている色数に基づいて、前記色数を表現可能な減色の程度を決定し、前記程度によって減色を実施することを特徴とする請求項２記載の画像形成遠隔操作システム。
【請求項４】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、ユーザーによる情報入力のみが実施される操作画面である場合、前記データー削減処理の程度を予め設定されている削減標準より上げた実施内容に決定することを特徴とする画像形成遠隔操作システム。
【請求項５】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、選択項目のみで構成されている操作画面である場合、前記データー削減処理の程度を予め定められている削減標準より上げた実施内容に決定することを特徴とする画像形成遠隔操作システム。
【請求項６】
前記制御部では、予め設定されている前記削減標準が、所定の操作画面におけるデーター削減の程度であることを特徴とする請求項１〜５のいずれか１項に記載の画像形成遠隔操作システム。
【請求項７】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、印刷画像情報の色調補正を実施する操作画面である場合、前記データー削減処理として減色処理を実施しない実施内容に決定することを特徴とする画像形成遠隔操作システム。
【請求項８】
前記データー削減処理が、前記操作部画像データーの圧縮、減色処理の一方または両方であることを特徴とする請求項１〜７のいずれか１項に記載の画像形成遠隔操作システム。
【請求項９】
前記制御部は、前記操作画面のエリア毎に、前記データー削減処理の実施内容を決定することを特徴とする請求項１〜８のいずれか１項に記載の画像形成遠隔操作システム。
【請求項１０】
前記制御部は、前記データー削減処理の実施内容の決定を、前記操作画面毎に設定された実施内容に基づいて行うことを特徴とする請求項１〜９のいずれか１項に記載の画像形成遠隔操作システム。
【請求項１１】
前記端末装置と前記画像形成装置とを備えることを特徴とする請求項１〜１０のいずれか１項に記載の画像形成遠隔操作システム。
【請求項１２】
端末装置による遠隔操作が可能な画像形成装置であって、
ネットワークを介して接続された前記端末装置に対し、前記画像形成装置の本体操作部に表示される操作画面に係る操作部画像データーに基づいて前記ネットワークを経由して前記端末装置の端末操作部に操作画面を表示し、前記端末操作部の操作によって遠隔操作が可能となる画像形成装置において、
画像データーに基づいて用紙に画像を形成する画像形成部と、
操作および表示を行う本体操作部と、
ネットワークを介して通信を行う通信部と、
請求項１〜１１のいずれか１項に記載の制御部と、を備える画像形成装置。
【請求項１３】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、前記画像形成装置の設定内容または／および機械情報の表示のみを行う操作画面である場合、前記データー削減処理の程度を予め設定されている削減標準より下げた実施内容に決定することを特徴とする画像転送方法。
【請求項１４】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面に印刷画像情報が含まれている場合、前記データー削減処理の程度を予め設定されている削減標準より下げた実施内容に決定することを特徴とする画像転送方法。
【請求項１５】
前記データー削減処理として減色を行う場合、前記印刷画像情報で利用されている色数に基づいて、前記色数を表現可能な減色の程度を決定し、前記程度によって減色を実施することを特徴とする請求項１４記載の画像転送方法。
【請求項１６】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、  前記操作画面が、ユーザーによる情報入力のみが実施される操作画面である場合、前記データー削減処理の程度を予め設定されている削減標準より上げた実施内容に決定することを特徴とする画像転送方法。
【請求項１７】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、選択項目のみで構成されている操作画面である場合、前記データー削減処理の程度を予め定められている削減標準より上げた実施内容に決定することを特徴とする画像転送方法。
【請求項１８】
予め設定されている前記削減標準が、所定の操作画面におけるデーター削減の程度であることを特徴とする請求項１３〜１７のいずれか１項に記載の画像転送方法。
【請求項１９】
ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、選択項目のみで構成されている操作画面である場合、前記操作画面が、印刷画像情報の色調補正を実施する操作画面である場合、前記データー削減処理として減色処理を実施しない実施内容に決定することを特徴とする画像転送方法。
【請求項２０】
前記データー削減処理が、前記操作部画像データーの圧縮、減色処理の一方または両方であることを特徴とする請求項１３〜１９のいずれか１項に記載の画像転送方法。
【請求項２１】
前記操作画面のエリア毎に、前記データー削減処理の実施内容を決定することを特徴とする請求項１３〜２０のいずれか１項に記載の画像転送方法。
【請求項２２】
前記データー削減処理の実施内容の決定を、前記操作画面毎に設定された実施内容に基づいて行うことを特徴とする請求項１３〜２１のいずれか１項に記載の画像転送方法。
【発明の詳細な説明】
【技術分野】
【０００１】
この発明は、画像形成装置の本体操作部に表示される操作画面を端末装置の端末操作部で遠隔操作することを可能にする画像形成遠隔操作システム、画像形成装置および遠隔操作における画像転送方法に関するものである。
【背景技術】
【０００２】
近年、画像データーに基づいて用紙に画像を形成する分野では、１台または複数台の画像形成装置を、ネットワークを介してＰＣなどの端末装置に接続して端末装置で画像形成装置を管理したり、操作したりする遠隔操作システムが提案されている。
遠隔操作を行う際、遠隔操作指示を行う端末装置に画像形成装置の操作画面を表示させるには、端末装置に対して操作画面情報を転送する必要がある。ただし、操作画面情報のデーター容量が大きい場合、遠隔操作時のレスポンスが悪くなることが課題として挙げられる。
この対策として、先行例では、遠隔操作指示を行う端末装置に転送する操作画面情報に対して、圧縮／減色などのデーター削減処理を行うことで転送パフォーマンスを向上させ、遠隔操作時のレスポンスを改善する手段が提案されている。
【０００３】
例えば、特許文献１では、転送レートに応じて、転送する画像の加工処理を行うことで、より応答速度を速めた遠隔制御システムが提案されている。具体的には、転送レートが閾値を下回った際に、端末装置側の表示サイズに応じた転送画面の切り出し処理、端末装置側の表示能力に応じた転送画面の減色処理、画面更新時に転送画面から更新領域のみ抽出処理、転送画面自体の圧縮処理等を行う。
また、特許文献２では、ジョブ情報（画像の種類／印刷モード）に応じて、プレビュー画像の解像度を決定するシステムが提案されている。具体的には、印刷モード（スタンプ、ウォーターマーク、モノクロ等）が、対象となる画像の画質にどの程度の影響を及ぼすかを判断し、解像度を決定する。
さらに、特許文献３では、フリック操作時のフリックの早さに応じて、転送する画面の解像度を決定するシステムが提案されている。
【先行技術文献】
【特許文献】
【０００４】
【特許文献１】特開２００４−１８７０６２号公報
【特許文献２】特開２０１３−１６５４２６号公報
【特許文献３】特開２０１３−０８８７２９号公報
【発明の概要】
【発明が解決しようとする課題】
【０００５】
しかし、前記各提案内容では、操作画面情報の画質劣化が生じるため、高画質の操作画面を必要としている等、操作内容によっては必ずしもユーザーの意図に沿った動作とはならないという問題がある。
【０００６】
本発明は、上記事情を背景としてなされたものであり、操作画面の状態を考慮することでユーザビリティの高い遠隔操作を可能にする画像形成遠隔操作システム、画像形成装置および遠隔操作における画像転送方法を提供することを目的の一つとする。
【課題を解決するための手段】
【００１０】
第１の本発明の画像形成装置遠隔操作システムは、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、前記画像形成装置の設定内容または／および機械情報の表示のみを行う操作画面である場合、前記データー削減処理の程度を予め設定されている削減標準より下げた実施内容に決定することを特徴とする。
【００１１】
第２の本発明の画像形成装置遠隔操作システムは、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、  前記操作画面に印刷画像情報が含まれている場合、前記データー削減処理の程度を予め設定されている削減標準より下げた実施内容に決定することを特徴とする。
【００１２】
第３の本発明の画像形成装置遠隔操作システムは、前記第２の本発明において、前記制御部は、前記データー削減処理として減色を行う場合、前記印刷画像情報で利用されている色数に基づいて、前記色数を表現可能な減色の程度を決定し、前記程度によって減色を実施することを特徴とする。
【００１３】
第４の本発明の画像形成装置遠隔操作システムは、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、ユーザーによる情報入力のみが実施される操作画面である場合、前記データー削減処理の程度を予め設定されている削減標準より上げた実施内容に決定することを特徴とする。
【００１４】
第５の本発明の画像形成装置遠隔操作システムは、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、選択項目のみで構成されている操作画面である場合、前記データー削減処理の程度を予め定められている削減標準より上げた実施内容に決定することを特徴とする。
【００１５】
第６の本発明の画像形成装置遠隔操作システムは、前記第１〜第５の本発明のいずれかにおいて、前記制御部では、予め設定されている前記削減標準が、所定の操作画面におけるデーター削減の程度であることを特徴とする。
第７の本発明の画像形成装置遠隔操作システムは、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作が可能な画像形成遠隔操作システムにおいて、
前記遠隔操作を制御する制御部を有し、
前記制御部は、遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記制御部は、前記データー削減処理の実施内容の決定を、前記操作画面の種類に応じて行い、前記操作画面が、印刷画像情報の色調補正を実施する操作画面である場合、前記データー削減処理として減色処理を実施しない実施内容に決定することを特徴とする。
【００１６】
第８の本発明の画像形成装置遠隔操作システムは、前記第１〜第７の本発明のいずれかにおいて、前記データー削減処理が、前記操作部画像データーの圧縮、減色処理の一方または両方であることを特徴とする。
【００１７】
第８の本発明の画像形成装置遠隔操作システムは、前記第１〜第７の本発明のいずれかにおいて、前記制御部では、予め設定されている前記削減標準が、所定の操作画面におけるデーター削減の程度であることを特徴とする。
【００１８】
第９の本発明の画像形成装置遠隔操作システムは、前記第１〜第８の本発明のいずれかにおいて、前記制御部は、前記操作画面のエリア毎に、前記データー削減処理の実施内容を決定することを特徴とする。
【００１９】
第１０の本発明の画像形成装置遠隔操作システムは、前記第１〜第９の本発明のいずれかにおいて、前記制御部は、前記データー削減処理の実施内容の決定を、前記操作画面毎に設定された実施内容に基づいて行うことを特徴とする。
【００２１】
第１１の本発明の画像形成装置遠隔操作システムは、前記第１〜第１０の本発明のいずれかにおいて、前記端末装置と前記画像形成装置とを備えることを特徴とする。
【００２２】
第１２の本発明の画像形成装置は、
端末装置による遠隔操作が可能な画像形成装置であって、
ネットワークを介して接続された前記端末装置に対し、前記画像形成装置の本体操作部に表示される操作画面に係る操作部画像データーに基づいて前記ネットワークを経由して前記端末装置の端末操作部に操作画面を表示し、前記端末操作部の操作によって遠隔操作が可能となる画像形成装置において、
画像データーに基づいて用紙に画像を形成する画像形成部と、
操作および表示を行う本体操作部と、
ネットワークを介して通信を行う通信部と、
請求項１〜１１のいずれか１項に記載の制御部と、を備える。
【００２４】
第１３の本発明の遠隔操作における画像転送方法は、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、前記画像形成装置の設定内容または／および機械情報の表示のみを行う操作画面である場合、前記データー削減処理の程度を予め設定されている削減標準より下げた実施内容に決定することを特徴とする。
【００２５】
第１４の本発明の遠隔操作における画像転送方法は、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面に印刷画像情報が含まれている場合、前記データー削減処理の程度を予め設定されている削減標準より下げた実施内容に決定することを特徴とする。
第１５の本発明の遠隔操作における画像転送方法は、第１４の本発明において、前記データー削減処理として減色を行う場合、前記印刷画像情報で利用されている色数に基づいて、前記色数を表現可能な減色の程度を決定し、前記程度によって減色を実施することを特徴とする。
第１６の本発明の遠隔操作における画像転送方法は、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、  前記操作画面が、ユーザーによる情報入力のみが実施される操作画面である場合、前記データー削減処理の程度を予め設定されている削減標準より上げた実施内容に決定することを特徴とする。
第１７の本発明の遠隔操作における画像転送方法は、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、選択項目のみで構成されている操作画面である場合、前記データー削減処理の程度を予め定められている削減標準より上げた実施内容に決定することを特徴とする。
第１８の本発明の遠隔操作における画像転送方法は、第１３〜第１７の本発明のいずれかにおいて、予め設定されている前記削減標準が、所定の操作画面におけるデーター削減の程度であることを特徴とする。
第１９の本発明の遠隔操作における画像転送方法は、ネットワークを介して接続された端末装置と画像形成装置に対し、前記画像形成装置の本体操作部に表示される操作画面に係る操作部画像データーに基づいて前記ネットワークを経由して前記端末装置の端末操作部に操作画面を表示し、前記端末操作部の操作によって前記画像形成装置の本体操作部を操作する遠隔操作における画像転送方法であって、
遠隔操作時の前記画像形成装置の操作画面に応じて、遠隔操作を行う前記端末装置に転送される前記操作部画像データーに対するデーター削減処理の実施内容を決定し、前記データー削減処理の実施内容に従ってデーター削減処理を実施した後に、処理実施後の操作部画像データーを前記端末装置に転送するものであり、
前記データー削減処理の実施内容の決定を、前記操作画面の種類に応じて行い、前記操作画面が、選択項目のみで構成されている操作画面である場合、前記操作画面が、印刷画像情報の色調補正を実施する操作画面である場合、前記データー削減処理として減色処理を実施しない実施内容に決定することを特徴とする。
第２０の本発明の遠隔操作における画像転送方法は、第１３〜第１９の本発明のいずれかにおいて、前記データー削減処理が、前記操作部画像データーの圧縮、減色処理の一方または両方であることを特徴とする。 
第２１の本発明の遠隔操作における画像転送方法は、第１３〜第２０の本発明のいずれかにおいて、前記操作画面のエリア毎に、データー削減処理の実施内容を決定することを特徴とする。
第２２の本発明の遠隔操作における画像転送方法は、第１３〜第２１の本発明のいずれかにおいて、前記データー削減処理の実施内容の決定を、前記操作画面毎に設定された実施内容に基づいて行うことを特徴とする。
【発明の効果】
【００２６】
以上説明したように、本発明によれば、操作画面に応じた操作画面を端末装置の操作画面に表示することができ、よりユーザビリティの高い操作性を提供することが可能となる。
【図面の簡単な説明】
【００２７】
【図１】本発明の一実施形態の画像形成装置の制御ブロックを示す図である。
【図２】同じく、操作画面の種別の一つを示す図である。
【図３】同じく、操作画面の種別の一つを示す図である。
【図４】同じく、操作画面の種別の一つを示す図である。
【図５】同じく、操作画面の種別の一つを示す図である。
【図６】同じく、操作画面の種別の一つを示す図である。
【図７】同じく、操作画面の種別の一つを示す図である。
【図８】同じく、操作画面に応じてデーター削減処理の実施内容を決定する手順を示すフローチャートである。
【発明を実施するための形態】
【００２８】
先ず、画像形成装置１を含む画像形成システムの制御ブロックを図１に基づいて説明する。
画像形成装置１は、大きなブロックとして、制御ブロック１１０とスキャナー部１３０と操作部１４０とプリンター部１５０とを有し、さらに、ネットワーク１０を通してＰＣ３に接続され、ネットワーク１１を通して端末装置４に接続されている。また、画像形成装置１は、画像処理部（プリント＆スキャナーコントローラー）１６０を介してネットワーク１０に接続されている。なお、ネットワーク１０、１１の種別は特に限定されるものではなく、ＬＡＮ（有線、無線を問わない）、ＷＡＮ、通信回線などの適宜のネットワークを使用可能であり、ネットワーク１０、１１間で種別が異なるものであってもよい。なお、この実施形態では、ネットワーク１１において、一つの画像形成装置と、一つのリモート端末装置とが接続されている例について説明しているが、画像形成装置、端末装置の数が特に限定されるものではなく、一つの端末装置において、複数の画像形成装置に対しリモートパネル操作が可能になっているものであってもよい。
【００２９】
制御ブロック１１０には、画像処理部（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、画像メモリー（ＤＲＡＭ）１２０が接続されている。画像メモリー（ＤＲＡＭ）１２０には、圧縮画像データーを格納するための圧縮メモリー１２１と、画像形成前にプリント対象の非圧縮画像データーを一時的に格納するためのページメモリー１２２とを有している。
上記画像処理部（プリント＆スキャナーコントローラー）１６０で取得される画像データーは、プリント動作に伴ってＰＣＩバス１１２を通してＤＲＡＭ制御ＩＣ１１１へと送信される。
【００３０】
また、制御ブロック１１０では、制御ＣＰＵ１１３を備えており、制御ＣＰＵ１１３にＤＲＡＭ制御ＩＣ１１１が接続されている。
また、制御ＣＰＵ１１３には、ＲＯＭなどにより構成され、制御ＣＰＵ１１３を動作させるためのプログラム等が格納されたプログラムメモリー、ＲＡＭなどにより構成され、ワークエリアなどとして使用されるシステムメモリー（いずれも図示していない）、フラッシュメモリーなどにより構成される不揮発メモリー１１５が接続されている。不揮発メモリー１１５には、画像形成装置１の初期印刷設定情報や、プロセス制御パラメータ等の機械設定情報、出力設定の初期データーなどが読み出し可能に格納されており、また、画像形成装置１に含まれる各ユニットの制御情報が格納されている。さらに、遠隔操作時に操作画面の種類や操作画面毎のデーター削減処理の実施内容が格納されている。
【００３１】
制御ＣＰＵ１１３は、不揮発メモリー１１５の不揮発データーを読み取り可能であり、また、所望のデーターを不揮発メモリー１１５に書き込むことが可能である。
制御ＣＰＵ１１３は、不揮発メモリー１１５などに格納された画像形成装置制御プログラムにより動作し、上記機械設定情報や印刷設定情報、出力設定、ユニット制御情報の調整値などに従って画像形成装置１の各部を動作制御し、各部を管理する。また、リモートパネル側から要求があると、リモートパネル側をクライアントとして起動するためのサーバー機能の実行やリモートパネル操作側で起動する他のアプリケーションに対しリモートパネルのための情報を送信し、画像形成装置側とリモート端末側で操作画面を同期させることができる。この実施形態では、制御ＣＰＵ１１３は、遠隔操作を制御する本発明の制御部を構成する。さらに、制御ＣＰＵ１１３は、ジョブの出力設定や操作指示、通信指示を、操作部１４０を通して行うことを可能にする。また、本発明では、遠隔操作を制御する制御部を、ネットワークを通して画像形成装置外に備えるものであってもよい。
【００３２】
スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１３とシリアル通信可能に接続されている。また、ＣＣＤ１３１は、ＣＣＤ１３１で読み取った画像データーを処理する読み取り処理部１１６に接続され、読み取り処理部１１６は、ＤＲＡＭ制御ＩＣ１１１に制御可能に接続されている。
読み取り処理部１１６は、ＣＣＤ１３１から入力されたアナログ画像信号に、アナログ信号処理、Ａ／Ｄ（Analog to Digital）変換処理、シェーディング処理等の各種処理を施し、デジタル画像データーを生成して、後述する圧縮／伸長ＩＣ１１７に出力する。
【００３３】
操作部１４０は、表示部と操作部とを兼ね、タッチパネルで構成されるＬＣＤ１４１と、操作部全体を制御する操作部制御部１４２とを備えており、操作部制御部１４２は制御ＣＰＵ１１３にシリアル通信可能に接続されている。
操作部１４０では、制御ＣＰＵ１１３の制御を受けて、タッチパネル式のＬＣＤ１４１によって、画像形成装置１における出力条件設定や動作制御条件などの機械設定入力、各給紙トレイの用紙情報（サイズ、紙種）の設定入力や、設定内容の表示、メッセージなどの所望の情報等の表示、さらに制御情報の手動設定などが可能になっている。
この実施形態では、操作部１４０は、本発明の本体操作部に相当する。操作部１４０では、操作画面毎のデーター削減処理の実施内容や操作画面の種類に対するデーター削減処理の実施内容を設定することができる。設定内容は、不揮発メモリー１１５などに読み出し可能に格納することができる。操作画面毎のデーター削減処理の実施内容や操作画面の種類に対するデーター削減処理の実施内容は、機械情報として初期値として設定されているものであってもよい。
【００３４】
ＤＲＡＭ制御ＩＣ１１１には、画像データーを圧縮または伸長することができる圧縮／伸長ＩＣ１１７が接続されている。ＤＲＡＭ制御ＩＣ１１１は、制御ＣＰＵ１１３からの指示に従って、圧縮／伸長ＩＣ１１７による画像データーの圧縮処理及び圧縮画像データーの伸長処理を制御するとともに、画像メモリー（ＤＲＡＭ）１２０への画像データーの入出力制御を行う。
書込み処理部１２３は、プリンター部１５０の画像形成部１５４に接続され、画像データーに基づいて画像形成部１５４の書き込み部の動作に用いられる書き込みデーターを生成する。
【００３５】
プリンター部１５０は、画像形成部１５４と、図示しない、給紙トレイ、搬送経路などにより構成される。
また、プリンター部１５０は、プリンター部１５０の全体（給紙、画像形成、排紙）を制御するプリンター制御部１５１を備えており、プリンター制御部１５１は前記した制御ＣＰＵ１１３にシリアル通信可能に接続されている。プリンター制御部１５１は制御ＣＰＵ１１３の制御指令に従って動作して、プリンター部１５０を制御し、用紙搬送、画像形成などを行う。なお、画像形成装置１に後処理装置を備える際には、プリンター制御部１５１を介して後処理装置を制御することができる。
【００３６】
ＰＣＩバス１１２には、コントローラーＩＣ１１８を介してＨＤＤ１１９が接続されており、制御ＣＰＵ１１３の制御に従ってコントローラーＩＣ１１８を介して、ＨＤＤ１１９にデーターを格納したり、ＨＤＤ１１９のデーターを読み込んだりすることができる。
また、ＰＣＩバス１１２には、画像処理部（プリント＆スキャナーコントローラー）１６０に設けられたＤＲＡＭ制御ＩＣ１６１が接続されている。画像処理部（プリント＆スキャナーコントローラー）１６０では、画像処理部（プリント＆スキャナーコントローラー）１６０全体を制御するコントローラー制御部１６３や画像メモリー１６２を有しており、ＬＡＮ制御部１６４、ＬＡＮインターフェース１６５を介してネットワーク１０に接続されている。ＬＡＮインターフェース１６５は、通信部として機能する。
画像処理部（プリント＆スキャナーコントローラー）１６０は、画像形成装置１をネットワークプリンターやネットワークスキャナーとして使用する場合に、ネットワーク１０に接続されるＰＣ３などから画像データー等を画像形成装置１で受信したり、スキャナー部１３０で取得した画像データーをネットワーク１０に接続されるＰＣ３などに送信したりするものである。
【００３７】
さらに、制御ＣＰＵ１１３には、ＬＡＮ制御部１２５を介してＬＡＮインターフェース１２６が接続されており、ＬＡＮインターフェース１２６にネットワーク１１が接続されている。
ＬＡＮインターフェース１２６は、ネットワーク１１に接続された端末装置４との送受信を担うものであり、通信部として機能する。
【００３８】
端末装置４では、端末装置４全体を制御する端末制御部４１を有しており、端末制御部４１にはネットワーク１１に接続されるＬＡＮインターフェース４２が制御可能に接続されている。端末制御部４１は、端末制御部４１の記憶部などに格納された端末制御プログラムにより動作する。
端末制御部４１の記憶部には、画像形成装置１に対するリモートパネルをクライアントとして起動するアプリケーションや、プラウザやその他のアプリケーションが起動可能に
格納されており、端末制御部４１の動作によってこれらアプリケーションが起動してリモートパネル操作などの動作が可能になる。
また、端末装置４では、端末操作部４０を有している。端末操作部４０は、タッチパネルなどによって操作と表示とを行えるようにしてもよく、操作部と表示部とを別々に備えるものであってもよい。端末操作部４０によって、画像形成装置１に対する遠隔操作（リモートパネル操作）が可能になる。
【００３９】
画像形成装置１の基本的動作について説明する。
先ず、画像形成装置１において画像データーを蓄積する手順について説明する。
画像形成装置１において、スキャナー部１３０で画像を読み取り画像データーを生成する場合、スキャナー部１３０において原稿からＣＣＤ１３１により画像を光学的に読み取る。この際には、制御ＣＰＵ１１３から指令を受けるスキャナー制御部１３２によってＣＣＤ１３１の動作制御を行う。原稿の読み取りは、図示しない自動原稿給送装置（ＡＤＦ）によって原稿を自動給送しつつ行ってもよく、また、プラテンガラス上に原稿を置いて行ってもよい。
【００４０】
制御ＣＰＵ１１３はプログラムによって動作し、操作部１４０による操作（読み取り指示やコピー指示）に基づいてスキャナー部１３０への指令を発行する。ＣＣＤ１３１で読み取られた画像は、読み取り処理部１１６でデーター処理がなされ、データー処理された画像データーは、ＤＲＡＭ制御ＩＣ１１１を介して圧縮／伸長ＩＣ１１７に送られて所定の方法によって圧縮される。圧縮されたデーターは、ＤＲＡＭ制御ＩＣ１１１を介して画像メモリー（ＤＲＡＭ）１２０に格納される。
【００４１】
この他に画像データーは、ネットワーク１０を介して画像形成装置１に入力することができる。上記画像データーとしては、例えばＰＣ３などのアプリケーションプログラム等により生成されたものなどが挙げられる。画像データーの生成方法は特に限定されるものではない。
【００４２】
画像データーは、ネットワーク１０、ＬＡＮインターフェース１６５、ＬＡＮ制御部１６４を通して、画像処理部（プリント＆スキャナーコントローラー）１６０で受信され、コントローラー制御部１６３の指示によってＤＲＡＭ制御ＩＣ１６１でプリントデーターが画像メモリー１６２に展開される。画像メモリー１６２のプリントデーターは、ＰＣＩバス１１２を介してＤＲＡＭ制御ＩＣ１１１に転送され、ページメモリー１２２に一旦格納される。ページメモリー１２２に格納されたデーターは、ＤＲＡＭ制御ＩＣ１１１を介して圧縮／伸長ＩＣ１１７に送られて圧縮処理され、ＤＲＡＭ制御ＩＣ１１１を介して圧縮メモリー１２１またはコントローラーＩＣ１１８を介してＨＤＤ１１９に格納される。
【００４３】
画像形成装置１で画像出力を行う場合、圧縮メモリー１２１に格納された画像データーまたはＨＤＤ１１９に格納された画像データーを、ＤＲＡＭ制御ＩＣ１１１を介して圧縮／伸長ＩＣ１１７に送出してデーターを伸長し、伸長したデーターを書込み処理部１２３に送出し、画像形成部１５４で、帯電器で帯電した感光体へ書き込み部によって書き込みを行う。
【００４４】
プリンター部１５０では、制御ＣＰＵ１１３の指令を受けたプリンター制御部１５１によって各部の制御が行われる。画像形成部１５４では感光体に書き込まれた潜像が現像器でトナー像として現像され、該トナー像が転写部で搬送経路によって供給される用紙に転写され、定着器で定着される。
【００４５】
なお、この実施形態では、モノクロの画像形成を前提にして説明したが、各色（例えば、シアン、マゼンタ、イエロー、ブラック）毎に感光体等を備える画像形成装置としたものであってもよい。
【００４６】
また、画像形成装置１では、所定の動作に関し端末装置４で遠隔操作の要求がなされた場合、制御ＣＰＵ１１３の動作によって、ＬＡＮ制御部１２５、ＬＡＮインターフェース１２６、ネットワーク１１、端末制御部４０、ＬＡＮインターフェース４１を介して端末装置４に、制御情報を送信する。
【００４７】
端末装置４では、ＶＮＣ（商標、以下同じ）を例にして説明すると、画像形成装置１には、ＶＮＣサーバーが設けられ、端末装置４にＶＮＣクライアントが設けられている。ＶＮＣサーバーとしては制御ＣＰＵ１１３などを用いることができる。
ＶＮＣクライアントは、画像形成装置１のＶＮＣサーバーからネットワーク１１、ＬＡＮインターフェース４１を通して画面データーを取得し、自身の端末制御部４０に受け渡して取得した画面を端末操作部４２に表示する。その際に、その画面に対する操作を受付けて画像形成装置１のＶＮＣサーバーへ伝達する。端末装置４のリモートパネルによって画像形成装置１の動作指示や情報表示を行うことができる。
また、端末装置４としては、上記の他にリモートパネルＵＲＬやその他のアプリケーションなどを用いることができる。本発明としては端末装置の形式は特に限定をされるものではない。
この実施形態では、画像形成遠隔システムは、画像形成装置１、ネットワーク１１、端末装置４で構成されているが、本発明としてはこれに限定されるものではない。例えば端末装置側に遠隔操作を行う制御部を備える場合、端末装置で本発明の画像形成遠隔システムを構成することができる。
【００４８】
制御ＣＰＵ１１３では、本体操作部の操作画面に応じて操作画面データーを端末装置に転送するものであるが、本実施形態では、操作画面に応じて操作画面データーに対するデーター削減処理の実施内容を決定し、決定した実施内容に従ってデーター削減処理を実施した後に、処理実施後の操作部画像データーを端末装置に転送する。
以下の実施形態では、データー削減処理として、画像データーの圧縮、減色を処理内容としている。なお、本発明としては圧縮の手法や減色の手法は特定のものに限定されるものではなく、既知の方法を選択することができ、操作画面の種類に応じて圧縮や減色の手法が異なるものであってもよい。
【００４９】
以下に、操作画面の種類に応じたデーター削減処理の実施内容の図２〜図７に基づいて具体的に説明する。
【００５０】
図２は、操作部１４０に表示される操作画面１４００の一例を示すものであり、画像形成装置１の設定内容や機械情報の表示がなされている。この操作画面１４００では、例えば、ユーザーが設定しているトレイ情報１４０１や機械情報１４０２を確認しやすいように、データー削減の程度を抑制し、端末操作部４０側に高解像度の画像を提供する。データー削減の程度は、予め削減標準を設定しておき、抑制の場合は、これよりも抑制した実施内容とする。具体例として、圧縮の程度はＰＮＧの圧縮レベル１、減色の程度は、ヒストグラムでＲＧＢ５５５とする。なお、データー削減を抑制する場合、操作画面全体で抑制するものではなく、所望の領域のみでデーター削減の程度を抑制し、その他の領域では、データー削減を中程度などとするものであってもよい。
【００５１】
図３の操作画面１４１０では、拡大プレビュー画面１４１１で印刷画像情報を表示しており、印刷画像情報が含まれる操作画面では、ユーザーが鮮明に画像を確認出来るように圧縮／減色の程度を抑制し、端末操作部４０側に高解像度／高彩度で高画質な操作画面を提供している。具体例として、圧縮の程度はＰＮＧレベル１、減色の程度はＲＧＢ６６６とする。この際に、印刷画像情報で利用されている色数に基づいて、色数を表現可能な減色の程度を決定することができる。例えば、印刷画像情報の色数がＲＧＢ４４４であるとき、操作画面に対して印刷画像情報に影響がないＲＧＢ４４４まで減色を実施することで、画質を劣化させずにレスポンスの向上を実現することができる。
【００５２】
図４の操作画面１４２０では、キーボード入力部１４２１が設けられて、ユーザーが情報入力のみを実施するものであり、入力時のレスポンスが早くなるように、圧縮／減色処理の程度を向上させ、また選択項目しかない画面でも、画質は求められないので、端末操作部４０側に圧縮／減色処理の程度を大きくした操作画面を提供することでレスポンスの高速化を実現している。
具体例として、圧縮の程度はＰＮＧレベル５、減色の程度はＲＧＢ４４４とする。なお、データー削減を大きくする場合、操作画面全体で大きくするものではなく、所望の領域のみでデーター削減の程度を大きくし、その他の領域では、データー削減を中程度などとするものであってもよい。
【００５３】
図５の操作画面１４３０では、選択項目群１４３１が設けられて選択項目しかない操作画面となっており、画質は求められていない。さらに画像遷移がスムーズに行えるように圧縮／減色処理の程度を向上させることでレスポンスの高速化を実現している。
具体例として、圧縮の程度はＰＮＧレベル５、減色の程度はＲＧＢ４４４とする。
【００５４】
図６の操作画面１４４０は、色調補正を行うものであり、色調を示す表示欄１４４１が設けられている。色調補正を行うため色味が重要となるので、端末操作部４０側に提供する操作画面では減色は実施しない。
具体例として、圧縮の程度はＰＮＧレベル３、減色の程度はＲＧＢ８８８（減色なし）とする。
【００５５】
図７の操作画面１４５０は、上記した各操作画面の種類に相当しない例の操作画面を示すものである。この画面では、設定情報の確認と同時に、ユーザーによる情報入力も実施しているので、圧縮及び減色の程度は中程度（デフォルト）とし、圧縮の程度はＰＮＧレベル３、減色の程度はＲＧＢ５５５となる。なお、中程度のテータ削減の程度を、削減標準に設定するものであってもよい。
この操作画面１４５０では、デフォルト値は前記の通りであるが、予め、ＰＮＧレベル８、ＲＧＢ６６６などと設定しておくことで、設定した値で圧縮及び減色を実施することができる。
【００５６】
次に、データー削減の実施内容を決定する手順を図８のフローチャートに基づいて説明する。以下の手順は、制御ＣＰＵ１１３の制御によって行われる。
手順の開始では、端末装置から操作画面転送要求を受信する（ステップｓ１）。次いで，操作画面に対し、データー削減の程度に関する実施内容の設定があるかの判定がなされる（ステップｓ２）。操作画面毎に、データー削減の実施内容の設定がある場合（ステップｓ２、Ｙｅｓ）、設定値により圧縮／減色処理を行い（ステップｓ４）、端末装置に対する操作画面データーの転送を開始し（ステップｓ５）、手順を終了する。
【００５７】
一方、操作画面に対し、データー削減の程度に関する実施内容の設定がない場合（ステップｓ２、Ｎｏ）、操作画面の種類の判定を行い（ステップｓ３）、種類毎に手順を実施する。
操作画面の種類が、設定および機械情報の表示のみの場合、削減標準に対し、圧縮を小、減色を中にして、データー削減処理を実施し（ステップｓ１０）、データー削減処理を行った操作画面データーを端末装置に転送し（ステップｓ５）、手順を終了する。
【００５８】
操作画面の種類が、印刷画像情報を有する場合、削減標準に対し、圧縮を小、減色を小または色数を表現可能な減色の程度にするデーター削減処理を実施し（ステップｓ１１）、データー削減処理を行った操作画面データーを端末装置に転送し（ステップｓ５）、手順を終了する。
【００５９】
操作画面の種類が、ユーザーによる情報入力のみの場合、削減標準に対し、圧縮を大、減色を大にしてデーター削減処理を実施し（ステップｓ１２）、データー削減処理を行った操作画面データーを端末装置に転送し（ステップｓ５）、手順を終了する。
【００６０】
操作画面の種類が、選択項目のみの場合、削減標準に対し、圧縮を大、減色を大にして、データー削減処理を実施し（ステップｓ１３）、データー削減処理を行った操作画面データーを端末装置に転送し（ステップｓ５）、手順を終了する。
【００６１】
操作画面の種類が、色調補正を有する場合、削減標準に対し、圧縮を中、減色をなしにして、データー削減処理を実施し（ステップｓ１４）、データー削減処理を行った操作画面データーを端末装置に転送し（ステップｓ５）、手順を終了する。
【００６２】
操作画面の種類が、上記操作画面以外の場合、圧縮を中、減色を中にして、データー削減処理を実施し（ステップｓ１５）、データー削減処理を行った操作画面データーを端末装置に転送し（ステップｓ５）、手順を終了する。ステップｓ１５の際のデーター削減処理の程度を削減標準としてもよい。
【００６３】
以上、本発明について上記実施形態に基づいて説明を行ったが、本発明は、上記実施形態の内容に限定されるものではなく、本発明の範囲を逸脱しない限りは適宜の変更が可能である。
【符号の説明】
【００６４】
１  画像形成装置
４  端末装置
４０  端末操作部
１１３  制御ＣＰＵ
１２６  ＬＡＮインターフェース
１４０  操作部
１５４  画像形成部
１４００  操作画面
１４０１  トレイ情報
１４０２  機械情報
１４１０  操作画面
１４２０  操作画面
１４３０  操作画面
１４４０  操作画面
１４５０  操作画面
【図１】
0006481391.tif 000002
【図２】
0006481391.tif 000003
【図３】
0006481391.tif 000004
【図４】
0006481391.tif 000005
【図５】
0006481391.tif 000006
【図６】
0006481391.tif 000007
【図７】
0006481391.tif 000008
【図８】
0006481391.tif 000009